【手続補正書】
【提出日】平成21年9月15日(2009.9.15)
【手続補正１】
【補正対象書類名】明細書
【補正対象項目名】特許請求の範囲
【補正方法】変更
【補正の内容】
【特許請求の範囲】
【請求項１】  印刷装置にプリンタドライバを介してジョブの実行を指示可能な情報処理装置であって、
前記ジョブに対して複数部数印刷するように指定されているか否かを判定する部数判定手段と、
前記部数判定手段によって前記ジョブに対して複数部数印刷するように指定されていると判定された場合に、前記複数部数印刷するように指定されたジョブの出力データに、部ごとに異なる特定情報を付与するように設定する印刷設定手段と、
を有することを特徴とする情報処理装置。
【請求項２】  前記印刷設定手段は、前記特定情報を前記出力データに付与するか否かを設定する設定手段を有することを特徴とする請求項１記載の情報処理装置。
【請求項３】  前記印刷設定手段は、前記出力データに付与する前記特定情報の印刷位置を指定する位置指定手段を有することを特徴とする請求項１記載の情報処理装置。
【請求項４】  前記特定情報は、数字，人名，記号，バーコードのいずれかであることを特徴とする請求項１〜３のいずれかに記載の情報処理装置。
【請求項５】  前記印刷設定手段により前記特定情報を付与するように設定されたか否かを判定する設定判定手段と、
前記設定判定手段により前記特定情報を付与するように設定されたと判定した場合に、前記ジョブの出力データに前記特定情報を付与するように指示するコマンドを前記ジョブに付加するコマンド付加手段と、
を有することを特徴とする請求項１記載の情報処理装置。
【請求項６】  ジョブの実行を指示する情報処理装置と通信してジョブを受信して処理する印刷制御装置であって、
複数部数印刷するように指定されたジョブの出力データに、部ごとに異なる特定情報を付与するように設定されているかどうかを判断する判断手段と、
前記判断手段により前記特定情報を付与するように設定されていると判断した場合に、前記複数部数印刷するように指定されたジョブの出力データに前記特定情報を付与する付与手段と、
前記付与手段により前記特定情報が付与された前記出力データを印刷手段によって印刷するように制御する印刷制御手段と、
を有することを特徴とする印刷制御装置。
【請求項７】  前記特定情報を記憶する記憶手段をさらに有し、
前記付与手段は、前記出力データに付与する前記特定情報を前記記憶手段から読み出して付与することを特徴とする請求項６記載の印刷制御装置。
【請求項８】  前記付与手段は、前記部ごとに異なる特定情報を前記出力データ中の所定位置に付与することを特徴とする請求項６記載の印刷制御装置。
【請求項９】  前記付与手段は、部ごとに異なる特定情報を前記出力データ中の、ユーザによって指定される任意の位置に付与することを特徴とする請求項６記載の印刷制御装置。
【請求項１０】  前記特定情報は、数字，人名，記号，バーコードのいずれかであることを特徴とする請求項６〜９のいずれかに記載の印刷制御装置。
【請求項１１】  前記記憶手段に記憶される特定情報を追加あるいは変更可能に管理する管理手段を有することを特徴とする請求項７記載の印刷制御装置。
【請求項１２】  ジョブの実行を指示可能な情報処理装置の印刷設定方法であって、
前記ジョブに対して複数部数印刷するように指定されているか否かを判定する部数判定ステップと、
前記部数判定ステップにより前記ジョブに対して複数部数印刷するように指定されていると判定された場合に、前記複数部数印刷するように指定されたジョブの出力データに、部ごとに異なる特定情報を付与するように設定する印刷設定ステップと、
を有することを特徴とする情報処理装置の印刷設定方法。
【請求項１３】  前記印刷設定ステップは、前記特定情報を前記出力データに付与するか否かを設定することを特徴とする請求項１２記載の情報処理装置の印刷設定方法。
【請求項１４】  前記印刷設定ステップでは、前記特定情報の印刷位置を指定することを特徴とする請求項１２又は１３記載の情報処理装置の印刷設定方法。
【請求項１５】  前記特定情報は、数字，人名，記号，バーコードのいずれかであることを特徴とする請求項１２〜１４のいずれかに記載の情報処理装置の印刷設定方法。
【請求項１６】  前記印刷設定ステップにより前記特定情報を付与するように設定されたか否かを判定する設定判定ステップと、
前記設定判定ステップにより前記特定情報を付与するように設定されたと判定した場合に、前記ジョブの出力データに前記特定情報を付与するように指示するコマンドを前記ジョブに付加するコマンド付加ステップと、
を有することを特徴とする請求項１２記載の情報処理装置の印刷設定方法。
【請求項１７】  ジョブの実行を指示する情報処理装置と通信してジョブを受信して処理する印刷制御装置の制御方法であって、
複数部数印刷するように指定されたジョブの出力データに、部ごとに異なる特定情報を付加するように設定されているかどうか判断する判断ステップと、
前記判断ステップにより前記特定情報を付与するように設定されていると判断した場合に、前記複数部数印刷するように指定されたジョブの出力データに前記特定情報を付与する付与ステップと、
前記付与ステップにより前記特定情報が付与された出力データを印刷手段によって印刷するように制御する印刷制御ステップと、
を有することを特徴とする印刷制御装置の制御方法。
【請求項１８】  前記付与ステップは、前記出力データに付与する前記特定情報を前記特定情報を記憶する記憶手段から読み出して付与することを特徴とする請求項１７記載の印刷制御装置の制御方法。
【請求項１９】  前記付与ステップは、前記部ごとに異なる特定情報を前記出力データ中の所定位置に付与することを特徴とする請求項１７記載の印刷制御装置の制御方法。
【請求項２０】  前記付与ステップは、前記部ごとに異なる特定情報を前記出力データ中の、ユーザによって指定される任意の位置に付与することを特徴とする請求項１７記載の印刷制御装置の制御方法。
【請求項２１】  前記特定情報は、数字，人名，記号，バーコードのいずれかであることを特徴とする請求項１７〜２０のいずれかに記載の印刷制御装置の制御方法。
【請求項２２】  前記記憶手段に記憶される特定情報を追加あるいは変更可能に管理する管理ステップを有することを特徴とする請求項１８記載の印刷制御装置の制御方法。
【請求項２３】  ジョブの実行指示可能な情報処理装置に、
前記ジョブに対して複数部数印刷するように指定されているか否かを判定する部数判定ステップと、
前記部数判定ステップにより前記ジョブに対して複数部数印刷するように指定されていると判定された場合に、前記複数部数印刷するように指定されたジョブの出力データに、部ごとに異なる特定情報を付与するように設定する印刷設定ステップを実行させるためのプログラムを記録したコンピュータが読み取り可能な記憶媒体。
【請求項２４】  前記印刷設定ステップでは、前記特定情報を前記出力データに付与するか否かを設定することを特徴とする請求項２３記載の記憶媒体。
【請求項２５】  前記印刷設定ステップでは、前記特定情報の印刷位置を指定することを特徴とする請求項２３又は２４記載の記憶媒体。
【請求項２６】  前記特定情報は、数字，人名，記号，バーコードのいずれかであることを特徴とする請求項２３〜２５のいずれかに記載の記憶媒体。
【請求項２７】  前記印刷設定ステップにより前記特定情報を付与するように設定されたか否かを判定する設定判定ステップと、
前記設定判定ステップにより前記特定情報を付与するように設定されたと判定した場合に、前記ジョブの出力データに前記特定情報を付与するように指示するコマンドを前記ジョブに付加するコマンド付加ステップと、
を含むことを特徴とする請求項２３記載の記憶媒体。
【請求項２８】  ジョブの実行を指示する情報処理装置と通信してジョブを受信して処理する印刷制御装置に、
複数部数印刷するように指定されたジョブの出力データに、特定情報を付与するように設定されているかどうかを判断する判断ステップと、
前記判断ステップにより前記特定情報を付与するように設定されていると判断した場合に、前記複数部数印刷するように指定されたジョブの出力データに前記特定情報を付与する付与ステップと、
前記付与ステップにより前記特定情報が付与された出力データを印刷手段によって印刷するように制御する制御ステップとを実行させるためのプログラムを記録したコンピュータが読み取り可能な記憶媒体。
【請求項２９】  前記付与ステップは、前記出力データに付与する前記特定情報を前記特定情報を記憶する記憶手段から読み出して前記付与することを特徴とする請求項２８記載の記憶媒体。
【請求項３０】  前記付与ステップは、前記部ごとに異なる特定情報を前記出力データ中の所定位置に付与することを特徴とする請求項２８記載の記憶媒体。
【請求項３１】  前記付与ステップは、前記部ごとに異なる特定情報を前記出力データ中の、ユーザによって指定される任意の位置に付与することを特徴とする請求項２８記載の記憶媒体。
【請求項３２】  前記特定情報は、数字，人名，記号，バーコードのいずれかであることを特徴とする請求項２８〜３１のいずれかに記載の記憶媒体。
【請求項３３】  前記記憶手段に記憶される特定情報を追加あるいは変更可能に管理する管理ステップを有することを特徴とする請求項２９記載の記憶媒体。
【手続補正２】
【補正対象書類名】明細書
【補正対象項目名】００６３
【補正方法】変更
【補正の内容】
【００６３】
図３において、Ｔ１は用紙方向で、縦が選択された状態に対応する。Ｔ２は用紙サイズで、選択可能な用紙サイズＡ４，Ａ３，Ｂ４，Ａ５，手差し等から、現在Ａ４が選択された状態に対応する。Ｔ３はオプション指定である印刷部数のナンバリング指定で、ボタンＢＴ１を選択すれば、ナンバリング出力無しに設定され、ボタンＢＴ２を選択すれば、ナンバリング出力有りに設定され、現在ナンバリング出力有りが選択された状態に対応する。
【手続補正３】
【補正対象書類名】明細書
【補正対象項目名】００６５
【補正方法】変更
【補正の内容】
【００６５】
これにより、パソコン１００からプリンタ２００に印刷する際の印刷設定画面の部数設定のオプション（図３の印刷部数のナンバリング指定Ｔ３）で、ナンバリングを「ＯＮ」または「ＯＦＦ」のいずれかをボタンＢＴ１，ＢＴ２の指示で選択でき（図３参照）、ナンバリングがＯＦＦでは従来通り指定された部数出力される（図１０参照）。